(57)【特許請求の範囲】
【請求項１】
遊技盤の盤面より遊技者側へ向かう前方へ突出する形で該盤面の一部領域を囲む周壁を有してなり、遊技球の進入口となる開口部を前記周壁の側部に設けて、前記遊技球が横方向に進入する役物本体を備え、
該役物本体内部において、
前記開口部より前記役物本体内部に進入した前記遊技球を一球のみ停留させる球受部と、
前記球受部にて停留する一球の遊技球を保持する球保持部が設けられ、該球保持部と、前記周壁において前記開口部の上方側に形成された上部周壁から後方に連続する壁部との間にて前記一球の遊技球を保持しつつ、該遊技球を、前記遊技盤の前方及び後方のいずれか一方から他方へ向かい、かつ上方及び下方のいずれか一方から他方へ向かう前記球保持部の周回軌跡に沿って移動させ、さらに所定の保持開放位置にてその保持状態を解除して前記一球の遊技球を開放する回転体と、
を有することを特徴とする遊技機用役物。
【請求項２】
前記球保持部は磁石を有し、該磁石により前記遊技球を吸着保持させる請求項１に記載の遊技機用役物。
【請求項３】
遊技盤の盤面より遊技者側へ向かう前方へ突出する形で該盤面の一部領域を囲む周壁を有してなり、遊技球の進入口となる開口部を前記周壁の側部に設けて、前記遊技球が横方向に進入する役物本体を備え、
該役物本体内部において、
前記開口部より前記役物本体内部に進入した前記遊技球を一球のみ停留させる球受部と、
磁石を有するとともに、該磁石により前記球受部にて停留する一球の遊技球を吸着保持する球保持部が設けられ、該球保持部と、前記周壁において前記開口部の上方側に形成された上部周壁から後方に連続する壁部との間にて前記一球の遊技球を保持しつつ、該遊技球を、前記遊技盤の前方及び後方のいずれか一方から他方へ向かう前記球保持部の周回軌跡に沿って移動させ、さらに所定の保持開放位置にてその保持状態を解除して前記一球の遊技球を開放する回転体と、
を有することを特徴とする遊技機用役物。
【請求項４】
前記磁石は、前記回転体の１箇所にのみ備えられる請求項２又は３に記載の遊技機用役物。
【請求項５】
請求項１ないし４のいずれか１項に記載の遊技機用役物を備えたことを特徴とする遊技機。
【発明の詳細な説明】
【０００１】
【発明の属する技術分野】
本発明は、遊技機用役物及び遊技機に関する。
【０００２】
【従来の技術】
従来において、遊技盤に直交する回転軸線回りに回転する回転体を備えた遊技機用役物が広く提供されている。このような遊技機用役物は、当該遊技機用役物内部に遊技球が進入した場合にこれを保持する保持部が回転体に設けられ、回転体とともに遊技球を連動回転させて遊技態様を生じさせるものが一般的である。例えば、図１３のように、遊技盤と直交する回転軸２０５を備えた回転体２０１において、その回転半径方向に凹む凹部２０３が形成される構成が採られている。そして、該役物内部に進入する遊技球Ｂをその凹部２０３内において保持し、回転体２０１と連動させて回転させるものが知られている。
【０００３】
【発明が解決しようとする課題】
本発明の解決すべき課題は、遊技球が内部に進入可能となるよう構成された遊技機用役物及びそれを用いた遊技機において、斬新かつ興趣ある態様を生じ得るものを提供することにある。
【０００４】
【課題を解決するための手段及び作用・効果】
上記のような課題を解決するために本発明の遊技機用役物は、
遊技盤の盤面より遊技者側へ向かう前方へ突出する形で該盤面の一部領域を囲む周壁を有してなり、遊技球の進入口となる開口部を前記周壁の側部に設けて、前記遊技球が横方向に進入する役物本体を備え、
該役物本体内部において、
前記開口部より前記役物本体内部に進入した前記遊技球を一球のみ停留させる球受部と、
前記球受部にて停留する一球の遊技球を保持する球保持部が設けられ、該球保持部と、前記周壁において前記開口部の上方側に形成された上部周壁から後方に連続する壁部との間にて前記一球の遊技球を保持しつつ、該遊技球を、前記遊技盤の前方及び後方のいずれか一方から他方へ向かい、かつ上方及び下方のいずれか一方から他方へ向かう前記球保持部の周回軌跡に沿って移動させ、さらに所定の保持開放位置にてその保持状態を解除して前記一球の遊技球を開放する回転体と、
を有することを特徴とする。
【０００５】
遊技機の上方及び下方のいずれか一方から他方へ向かい、かつ前方から後方へ向かうように遊技球が移動する態様であって、遊技球を一球のみ停留させるものは提供されておらず、斬新な態様であって、小型化がなされた装置構成となる。即ち、従来のような、遊技機と直交する回転軸線回りに回転する回転体を有する遊技機用役物であると、図１３のように回転体はその回転方向が盤面と平行となるよう回転する。このような回転体であると、盤面において回転体の回転する領域が広範となり、遊技盤表面のかなりのスペースを占有することとなってしまう。しかしながら、上記構成を採れば、遊技盤において遊技球を停留するスペースが最小限必要となり、回転体の回転領域の全てを遊技盤に設ける必要がないため、遊技盤面をあまり占有せず、多種の遊技機用部品を遊技機に設けることが可能となる。なお、ここにいう上方とは鉛直上方向を意味し、以下において遊技盤上方ともいう。また、下方とは鉛直下方向を意味し、以下、遊技盤下方ともいう。また、前方とは遊技盤を基準とした遊技者側へ向かう方向を意味し、以下において遊技盤前方ともいう。後方とはそれとは逆側へ向かう方向を意味し、以下において遊技盤後方ともいう。
【０００６】
さらに、上記球保持部において磁石を設け、該磁石により遊技球を吸着保持する構成を、上記遊技機用役物の構成に付加することができる。例えば、図１３のような従来例のごとく、遊技球を凹部２０３内において保持する場合には凹部を形成するために回転体自体を大型とせねばならなかった。そして、回転体が大型化すると、コストが大となるだけでなく、当該回転体を回転するために必要となるトルクが大きくなり、駆動手段（モータ等）に制約が課される（例えば、大型のモータを使用する必要が生じる等）。しかしながら、上記のごとく、磁石により遊技球を吸着保持するようにすれば、回転体の回転半径を小さくできるため、回転体自体も小型なものとなる。
【０００７】
さらには、上記構成に加え、開口部が周壁の側部に設けられ、遊技球が横方向に進入するように開口する構成を付加することができる。このようにすれば、上記のごとく小型化が図られた遊技機用役物に、さらに興趣ある遊技球の進入態様を付与することができる。また、上記のごとく、遊技球が横方向に進入するよう構成し、かつ開口部の近傍に遊技球の停留部を設けるようにできる。このようにすれば、遊技球の停留中に、当該遊技球が開口部の一部あるいは大部分、若しくは全部を塞ぐこととなり、球受部に停留中の遊技球（以下、停留中遊技球ともいう）以外の遊技球が役物本体内部に進入することを防止できる。即ち、遊技球が横方向に進入するよう構成されていれば、遊技球の停留中に他の遊技球が進入してきた場合に、その進入してくる遊技球が、役物本体に進入する前、あるいは進入中に、停留中遊技球に弾かれて役物本体外部に放出されることとなる。
【０００８】
また、上記回転体における遊技球が吸着する地点（即ち、遊技球と回転体との接触地点）が回転する回転軌跡（以下、吸着地点回転軌跡ともいう）において、当該吸着地点回転軌跡の直径Ｄ１（なお、回転体が筒状の場合には図のごとく筒の直径）と遊技球の直径Ｄ２との比Ｄ１／Ｄ２が１．２７〜１．５５の範囲となるよう設定できる。なお、１．２７未満であると、当該遊技機用役物に遊技球が入賞しても遊技球の移動量が少ないため、変化が少なく興趣低下の可能性がある。また、１．５５を超えると、回転体が大型化し、装置の小型化の弊害となる。なお、回転体の少なくとも一部が円筒状に形成される円筒部を有してなり、その円筒部の周壁面を吸着地点とする場合には、当該円筒部の直径を吸着地点回転軌跡とみなす。
【０００９】
また、上記いずれの回転体においても、回転軸線方向の長さＬと、遊技球の直径Ｄ２との比Ｌ／Ｄ２が１．０〜１．９となるように構成することができる。これが１．０未満であると、遊技球の移動するスペースが確保できなくなる。また、１．９を超えると遊技盤の盤面方向（回転軸線方向）に回転体が広がり、複数の遊技球が球受部１５ａに停留してしまう。当該遊技機用役物が（具体的には回転体が）、遊技盤面上を占有する領域が広くなり、他の遊技機用部品の設置の弊害となる。
【００１０】
また、上記いずれの遊技機用役物においても以下の構成を付加することができる。即ち、上記遊技機用役物において、駆動回転軸を有するモータと、その駆動回転軸に一体的に固定されるとともに、該駆動回転軸と一体回転可能に設けられる第一駆動力伝達部材とを備える一方、回転体と一体化する形で当該回転体の駆動力を伝達する第二駆動力伝達部材を設け、前記第一の駆動力伝達手段と前記第二駆動力伝達部材とが互いに接触しつつ連動するよう構成できる。具体的には、第一駆動力伝達部材は、モータの駆動回転軸と同軸的に回転する第一歯車であり、第二駆動力伝達部材は、回転体と同軸的に回転する第二歯車からなり、これら第一歯車及び第二歯車が互いに噛合う歯車伝動により駆動力が伝達されるような構成とすることができる。
【００１１】
また、上記いずれの回転体においても、その回転半径方向において前記球保持部と対向する位置に、遊技球が後方に到達したことを示すマークを備えることができる。このようにすれば、遊技球が後方側に移動して視認不可能となった場合でも、遊技者は遊技球の位置を確認でき、後方側に到達したことがわかる。
【００１２】
【発明の実施の形態】
本発明の実施の形態を図面に示す実施例を参照しつつ説明する。
図１及び図２は、本発明の遊技機用役物の一例を斜視図にて示すものである。なお、図１は遊技機前方側からの、図２は後方側からの斜視図である。図１に示されるように、遊技機用役物１は、遊技機１００（図９）の遊技盤１０１（図３）における遊技盤面１０１ａ（以下、単に盤面１０１ａともいう）（図９）より前方へ突出する形で、その盤面１０１ａの一部領域を囲む周壁１５を有してなり、遊技球の進入口となる開口部１６を有する役物本体１３を備える。なお、周壁１５は開口部１６の上方側に設けられた上部周壁１５ｂと、開口部の下方側に設けられた下部周壁、及びそれら上部周壁１５ｂ及び下部周壁と一体的に連続する側部周壁を有してなり、下部周壁は球受部１５ａとして機能している。その球受部１５ａは、役物本体１３の内部において、開口部１６より役物本体１３の内部に進入した遊技球を一球のみ停留させる。また、開口部１６は周壁の側部に設けられ、遊技球が横方向に進入するように開口する構成となっている。さらに、開口部１６の近傍に球受部１５ａが設けられているため、遊技球の停留中に、当該遊技球が開口部１６の一部あるいは大部分、若しくは全部を塞ぐこととなる。これにより、球受部１５ａに停留中の遊技球（以下、停留中遊技球ともいう）以外の遊技球が役物本体内部に進入することが防止される。
【００１３】
さらに、その役物本体１３の内部には回転体１７が設けられ、その回転体１７は、球受部１５ａにて停留する遊技球を保持する永久磁石からなる球保持部１９を備えた構成となっている。即ち、球保持部１９は磁石により遊技球を吸着保持する（磁石と遊技球との磁気的吸引力により吸着保持する）こととなる。そして、球保持部１９にて遊技球を保持しつつ、その遊技球を遊技盤１０１ａの前方及び後方のいずれか一方から他方へ向かい、かつ上方及び下方のいずれか一方から他方へ向かう周回軌跡に沿って移動させる。図１の例では、遊技盤面と平行であって、かつ水平となる回転軸線回りに回転体１７が回転するよう構成されている。なお、これに限定されるわけではなく、遊技盤面と平行であってかつ水平より僅かに傾いた（例えば、１０°〜４５°程度）回転軸線回りに回転体１７が回転する構成としてもよい。また、水平であって、かつ遊技盤面に対し僅かに傾いた回転軸線回りに回転体１７が回転してもよい。遊技球が回転体１７にて保持されて移動した後には、所定の保持開放位置にてその保持状態を解除して遊技球を開放することとなる。なお、これら作用については後述する。
【００１４】
次に、図３を参照して本発明の遊技機用役物の構成について説明する。
役物本体１３は、遊技盤１０１の前方側に表側本体１１を有し、後方側に回転機構部本体１２を備えた構成となっている。回転機構部１２は、孔１２ａを貫通する螺子等の締結部材（図示略）により遊技盤１０１に固定される。一方、周壁１５が構成される表側本体１１においても、螺子等の締結部材により孔１１ａを貫通しつつ表側本体１１と遊技盤１０１を固定することとなる。そして、回転体１７は、回転軸２８に挿通され、その回転軸２８が回転機構部の側壁４３、４３に設けられた穴２９ａに両端部が挿入されて位置固定されている。回転体１７の一方の端面側には、第二駆動力伝達部材となる第二歯車２２が、回転体１７と同軸的に回転するようこれと一体的に形成されている。また、駆動力伝達手段たるモータ２１に設けられた駆動回転軸２４に挿通される形で、第一駆動力伝達部材となる第一歯車２３がその駆動回転軸２４に固定されている。モータ２１は、その回転駆動軸２４が盤面と平行になるように（具体的には盤面と平行であり、かつ水平となるように）回転機構部本体１２に固定されている。図３においては、締結部材たる螺子３１ａ、３１ｂがモータ２１のケースに設けられた孔を貫通しつつ回転機構部本体１２に（具体的には締結部材保持部３２ａ、３２ｂに）螺入されるようになっている。
【００１５】
また、第一歯車２３は、駆動回転軸２４と同軸的に回転するようになっており、これら第一歯車２３及び第二歯車２２が互いに噛合う歯車伝動により駆動力が伝達される。また、図３の構成では、駆動回転軸２４の回転軸線と回転体１７の回転軸線が同方向となるよう配置される。具体的には、図５の平面図、図６の背面図のごとく、モータ２１における駆動回転軸２４の回転軸線Ｃ１と、回転体１７における回転軸２８の回転軸線Ｃ２が平行となるよう設けられている。そして、これら回転軸線Ｃ１、Ｃ２がともに水平となるよう構成されている。また、図４の正面図のように、第一歯車２３と第二歯車２２はともに水平方向の移動が拘束されている。なお、この構成に限定されるというわけではなく、駆動回転軸２４と回転体１７の回転軸線が直交するよう配置してもよい。この場合には、例えば、駆動回転軸２４と、回転体１７とにそれぞれかさ歯車（すぐばかさ歯車、はすばかさ歯車等）を設けるか、或いはそれら一方にウォームを設け、他方にホイールを設けることにより駆動力を伝達する方法を用いることができる。
【００１６】
図８（ａ）及び（ｂ）は、遊技機用役物１を断面図（遊技盤に直交する断面図）にて示している。回転体１７は、盤面１０１ａと平行であって、かつ水平な軸線回りに回転するようになっており、これにより遊技球が遊技盤上下方向に移動し、かつ遊技盤前後方向に移動するようになっている。言い換えれば、回転体１７は、遊技球の遊技盤左右方向への移動を拘束する形で回転することとなる。
【００１７】
そして、図８（ｂ）のように、開口部１６（図１）より進入した遊技球Ｂは球受部１５ａにて停留し、球保持部１９が接近すると、その球保持部１９に設けられた磁石（永久磁石）の磁力により互いに吸引し合い、球保持部１９表面に吸着保持される。そして、吸着保持された状態で回転体１７が更に回転することにより、遊技球Ｂは、球保持部１９と、周壁１５において開口部１６の上方側に形成された上部周壁１５ｂ（図４参照）から後方に連続する壁部との間にて保持され、回転体１７と連動して所定の回転軌跡をとりつつ移動する。本実施例においては、遊技盤前方側において遊技球が上昇し、遊技盤後方側において下降するように回転する。即ち、球受部１５ａにて停留する遊技球は、球保持部１９に吸着された後に遊技盤上方に移動し、最上部に至った後に遊技盤下方に移動することとなる。なお、回転体１７と所定距離の隙間を隔てて、回転体１７から遊技球Ｂを離間させるために遊技球の回転を停止する回転停止部２７が設けられている。回転停止部２７は、回転中の遊技球の進行方向上にその遊技球の進路を塞ぐよう設けられており、遊技球が当接するようになっている。
【００１８】
この回転停止部２７に遊技球Ｂが当接すると、遊技球Ｂの回転が停止する一方、回転体１７の回転は持続し、これら回転体１７と遊技球Ｂとが離間して吸着保持が解除される。回転停止部２７は遊技球Ｂが遊技盤後方（スイッチ側へ）に移動するように、遊技球との当接面において所定の勾配が形成されている。そして、吸着保持が解除された遊技球Ｂは、その勾配によって遊技盤後方に転がり、その先に設けられたスイッチ２５（いわゆる近接スイッチ）に設けられた遊技球通過孔２５ａ内を通過する。この通過をスイッチ２５は検知し、遊技球が通過したことを示す電気信号として出力する（例えば、遊技機に設けられた制御部（ＣＰＵ等）に向けて出力する）。なお、このスイッチ２５の検知に基づいた遊技態様が発生することとなる（例えば大入賞口１５６（図９）が開放する）。
【００１９】
また、上記回転体は、図７及び図８のように、少なくとも一部が円筒状（略円筒状を含む）に形成された円筒部を含む円筒回転体とでき、円筒部の直径Ｄ１と遊技球の直径Ｄ２との比Ｄ１／Ｄ２が１．２７〜１．５５の範囲となるよう設定できる。なお、この比Ｄ１／Ｄ２が１．２７未満であると、遊技球に比して回転体１７が細くなりすぎ、回転体１７において球保持部を設けるために十分な領域を確保し難い。また、遊技球の移動或いは移動時間が少ないため、興趣に欠けるものとなる。また、１．５５を超えると、遊技球に対して回転体１７が太過ぎ、装置構成が大型化してしまう。具体的には直径Ｄ１を１４ｍｍ〜１７ｍｍの範囲に設定できる。（回転体が略筒状であった場合には、回転体１７における遊技球との吸着地点において、当該吸着地点の回転軌跡の直径を直径Ｄ１とする）。また、回転体１７の回転軸線方向の長さＬ（図４参照）と遊技球の直径Ｄ２（図８参照）との比Ｌ／Ｄ２が１．０〜１．７となるように構成できる。なお、この比Ｌ／Ｄ２が１．０未満であると、回転体１７において球保持部の領域を確保することが困難であり、また、１．７を超えると、回転体１７自体が過大となり、装置構成が大型化する。具体的には、全長Ｌを１１ｍｍ〜１９ｍｍの範囲に設定できる。また、回転体１７において第二歯車２２を除いた部分の長さＬ２（図４参照）は、８ｍｍ〜１６ｍｍの範囲に設定することができる。また、図７に示す、水平方向における球受部１５ａの幅Ｗ１と遊技球の直径Ｄ２（図８）との比Ｗ１／Ｄ２は、１．０〜１．４とすることが望ましい。具体的には、球受部１５ａの幅Ｗ１は、１１ｍｍ〜１６ｍｍの範囲とすることができる。なお幅Ｗ１が１１ｍｍ未満であると、球受部１５ａの幅が狭すぎ、遊技球の停留が困難となる。また、１６ｍｍを超えると、球受部１５ａの幅が広すぎ複数の遊技球が停留する可能性が生じる。
【００２０】
また、図７のように、開口部１６が、盤面方向において開口する距離Ｗ２は、１２ｍｍ〜１８ｍｍの範囲とすることが望ましい。１２ｍｍ未満であると、遊技球の進入が困難となり、一方１８ｍｍを超えると、役物本体１３内において複数球が一度に進入してしまうこととなる。また、遊技機用役物１を正面より見た場合において周壁１５にて囲まれる領域（以下、周壁包囲領域ともいう）の、遊技機上下方向（鉛直上下方向）の高さＨは例えば４０ｍｍとするのがよい。また、その周壁包囲領域の遊技機左右方向（水平方向）の幅Ｗ３は、例えば２４ｍｍとすることができる。
【００２１】
図９は、上記記載の遊技機用役物１を備えた遊技機の一例を示し、図１０にはその要部拡大図を示している。なお、以下に示す遊技機１００の例においては、上記いずれの遊技機用役物１をも適用できる。図９では、遊技機用役物１が、盤面１０１ａを平面視した場合の右側（以下、平面視右側ともいい、これと反対側を平面視左側という）における右側領域に設けられた例について示している。具体的には、図１０のように、遊技機用役物１に設けられた開口部１６に向けて遊技球を誘導するための誘導手段たる誘導クギ１１０が複数設けられている。それら誘導クギ１１０は、遊技球を開口部１６に誘導するように所定のクギ配列（以下、クギパターンともいう）をなし、それら誘導クギ１１０に衝突することにより遊技球の自由落下が阻害され、少なくとも横方向（水平方向）の分力が与えられる。即ち、クギパターンは遊技球を横方向（あるいは略横方向）に誘導することとなる。なお、図１０の例では、開口部１６が、平面視右側に向けて開口するよう形成されており、かつ誘導クギ１１０は、遊技球を少なくとも平面視左側に誘導するように配置される（例えば、複数の誘導クギ１１０が、互いに遊技球の通過する隙間を設けない形で接近して配置され、それら誘導クギ１１０が平面視左側に向かい、かつ遊技機下方に向かうように配列するクギ配列部１１２を少なくとも含む）。
【００２２】
なお、開口部１６の向き、及びクギパターンはこれに限定されず、左側に向けて開口していてもよく、遊技機上方に向けて開口していてもよい。即ち、開口部１６は、図１１（ａ）のごとく上部より縦方向（遊技盤上方から下方に向かう方向）に遊技球が進入する形状としてもよく、図１１（ｂ）のように、平面視左側より横方向に遊技球が進入する形状としてもよい。また、図１１（ｃ）のごとく、斜め方向（水平方向成分及び鉛直上下方向成分をともに含む方向）に遊技球が進入するようにしてもよい。いずれの場合においても、開口部１６に向かって遊技球を誘導する誘導クギ１１０を設けた形で遊技機を構成できる。
【００２３】
また、図３等に示されるモータ２１を可変速としてもよい。例えば、通常時の回転数を特別遊技態様発生時（例えば、大当たり時）の回転数よりも小さくしてもよい。なお、この特別遊技態様は、特別入賞口１５５内に設けられた入賞口（図示略）に遊技球が進入することに基づいて発生するようにしてもよい。また、通常時の回転方向と、当たり時の回転方向とを逆方向としてもよい。即ち、通常時は、球受部１５ａに遊技球が保持され続け、特別遊技態様発生時（当たり時）には、回転体１７による遊技球の移動が可能となる。例えば、図８に示されるように、通常時には遊技盤前方側において遊技球が下降し、かつ遊技盤後方側において遊技球が上昇する回転方向（図８において反時計回り、即ち図８（ｂ）の回転方向と逆方向）とすると、回転体１７と、球受部１５ａとの間には遊技球が通過する隙間が無いためこの回転方向が維持されると、遊技球は球受部１５ａに保持され続ける。さらに、当たり時において、この逆方向（図８（ｂ）の方向）に回転するよう回転体１７を反転させれば、当たり時のみ遊技球が球受部１５ａより移動可能となる。
【００２４】
また、上記いずれの回転体１７においても、図１２のごとく、その回転半径方向において球保持部１９と対向する位置１９に、遊技球が後方に到達したことを示すマーク７１を備えることができる。マーク７１は、特別態様が発生することを示唆する文字情報とすることができる。図１２（ａ）の例では、「Ｓｔａｒｔ」と記されているが、これに限定されず、例えば「ｇｏ」といったマークや、特定の図柄（星印等）でもよい。そして、図１２（ｂ）の例では、球保持部１９と回転軸を中心とした対称位置に（即ち、球保持部１９を基点とする回転角度１８０°の位置に）マーク７１が設けられている。このようにすれば、遊技球が後方側に移動して視認不可能となった場合でも、遊技者は遊技球の位置を確認でき、後方側に到達したことがわかる。
【００２５】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にもおよび、かつ、当業者が通常有する知識に基づく改良を適宜付加することができる。
【図面の簡単な説明】
【図１】本発明の遊技機用役物の一例を示す正面斜視図。
【図２】図１の遊技機用役物の背面斜視図。
【図３】図１の遊技機用役物の組立図。
【図４】図１の遊技機用役物の正面一部断面図。
【図５】図１の遊技機用役物の平面図。
【図６】図１の遊技機用役物の背面図。
【図７】遊技機用役物の寸法について説明する説明図。
【図８】図１の遊技機用役物の内部構造を示す縦断面図及び遊技球の移動についての説明図。
【図９】遊技機用役物を備えた遊技機の一例を模式的に示す模式図。
【図１０】図９の要部拡大図。
【図１１】本発明の変形例をいくつか示す図。
【図１２】図１１とは別の変形例を示す図。
【図１３】従来における回転体を備えた遊技機用役物の一例を示す図。
【符号の説明】
１  遊技機用部品
１３  役物本体
１５ａ  球受部
１６  開口部
１７  回転体
１９  球保持部
１００  遊技機
１０１  遊技盤
１０１ａ  遊技盤面
【図１】
0004390242.tif 000002
【図２】
0004390242.tif 000003
【図３】
0004390242.tif 000004
【図４】
0004390242.tif 000005
【図５】
0004390242.tif 000006
【図６】
0004390242.tif 000007
【図７】
0004390242.tif 000008
【図８】
0004390242.tif 000009
【図９】
0004390242.tif 000010
【図１０】
0004390242.tif 000011
【図１１】
0004390242.tif 000012
【図１２】
0004390242.tif 000013
【図１３】
0004390242.tif 000014